(57)【要約】  少なくとも片側に遮断板（１２）が設けられた接触部品（１１）を含む信号モジュール（１）を含む高速電気コネクタにおいて、信号モジュールは、接触部品と遮断板とに射出成形されることによって接触部品と遮断板とを一体に結合する絶縁体（１３）をさらに含む。本発明の電気コネクタの信号モジュールの絶縁体は、射出によって接触部品と遮断板とに実装されるため、信号モジュールの堅牢度合いを向上させ、現在の高速電気コネクタの信号モジュールが変形しやすいという問題を解決した。【選択図】図２
2019505078.tif 000002
【特許請求の範囲】
【請求項１】
少なくとも片側に遮断板が設けられた接触部品を含む信号モジュールを含む高速電気コネクタにおいて、
信号モジュールは、接触部品と遮断板とに射出成形されることによって接触部品と遮断板とを一体に結合する絶縁体をさらに含む、
ことを特徴とする高速電気コネクタ。
【請求項２】
前記絶縁体は、射出によって接触部品に実装された接触部品側絶縁体部分と、射出によって遮断板に実装された遮断板側絶縁体部分と、を含み、
前記遮断板側絶縁体部分は、接触部品側絶縁体部分の射出成形後に、遮断板を射出によって接触部品側絶縁体部分に実装する、
ことを特徴とする請求項１に記載の高速電気コネクタ。
【請求項３】
前記接触部品は、差動対と、差動対の間に設けられた接地接触部品と、を含み、
前記接地接触部品と遮断板とのうちの少なくとも一方には、他方に突起する突起構造が設けられており、
接地接触部品と遮断板とは、対応する突起構造によって電気的に接触する、
ことを特徴とする請求項１または２に記載の高速電気コネクタ。
【請求項４】
少なくとも片側に遮断板が設けられた接触部品を含む信号モジュールにおいて、
接触部品と遮断板とに射出成形されることによって接触部品と遮断板とを一体に結合する絶縁体をさらに含む、
ことを特徴とする信号モジュール。
【請求項５】
前記絶縁体は、接触部品側絶縁体部分と、遮断板側絶縁体部分と、を含み、
前記遮断板側絶縁体部分は、接触部品側絶縁体部分の射出成形後に、遮断板を射出によって接触部品側絶縁体部分に実装する、
ことを特徴とする請求項４に記載の信号モジュール。
【請求項６】
前記接触部品は、差動対と、差動対の間に設けられた接地接触部品と、を含み、
前記接地接触部品と遮断板とのうちの少なくとも一方には、他方に突起する突起構造が設けられており、
接地接触部品と遮断板とは、対応する突起構造によって電気的に接触する、
ことを特徴とする請求項４または５に記載の信号モジュール。
【請求項７】
信号モジュールの成形方法であって、
信号モジュールの絶縁体を接触部品と遮断板とに射出成形することによって接触部品と遮断板とを一体に結合する、
ことを特徴とする信号モジュールの成形方法。
【請求項８】
前記信号モジュールの絶縁体の射出成形は、
接触部品を対応する金型に入れ、実装後の接触部品に接触部品側絶縁体部分が形成されるとともに接触部品の挿接端が接触部品側絶縁体部分の外に位置するように、接触部品に対する射出・実装を行う工程１と、
実装後の接触部品と接触部品側絶縁体部分とを対応する金型に入れてから遮断板を接触部品側絶縁体部分に押し付け、実装後の遮断板に遮断板側絶縁体部分が形成されるとともに遮断板側絶縁体部分と接触部品側絶縁体部分とで信号モジュールの絶縁体を構成するように、遮断板に対する射出・実装を行う工程２と、を含む、
ことを特徴とする請求項７に記載の信号モジュールの成形方法。
【請求項９】
工程１で作製した接触部品側絶縁体部分には、遮断板に対応する位置決め溝が設けられており、
工程２では、遮断板を位置決め溝内に締め付けてから遮断板に対する射出・実装を行う、
ことを特徴とする請求項８に記載の信号モジュールの成形方法。
【請求項１０】
工程１の前記接触部品は、差動対と、差動対の間に設けられた接地接触部品と、を含み、前記接地接触部品と遮断板とのうちの少なくとも一方には、他方に突起する突起構造が設けられており、接地接触部品と遮断板とは、対応する突起構造によって電気的に接触し、
工程１で作製した接触部品側絶縁体部分には、前記突起構造を逃がす逃がし孔が設けられている、
ことを特徴とする請求項８または９に記載の信号モジュールの成形方法。
【発明の詳細な説明】
【技術分野】
【０００１】
本発明は、コネクタ分野に係り、特に高速電気コネクタおよびその信号モジュールならびに信号モジュールの成形方法に関する。
【背景技術】
【０００２】
主にハウジング、ハウジングに積層して装着された接触部品モジュールおよび接触部品モジュールの間に設けられた遮断板から構成される現在の高速電気コネクタにおいて、信号モジュールは、接触部品モジュールと接触部品モジュールとの間に設けられた遮断板を含む。例えば特許文献１（中国特許出願第２０１１１０４５０６８４．１号）に開示されるコネクタおよびその接触部品モジュールならびに接触部品モジュールの成形方法において、コネクタは、フロント基板と、フロント基板に装着された少なくとも２つの積層された接触部品モジュールを含む。シート型絶縁体及び絶縁体内に射出・実装された接触部品を含む各接触部品モジュールの片側に係合された遮断板と、接触部品モジュールと、でコネクタの信号モジュールを構成する。製造時に、まず接触部品モジュールの各接触部品を位置合わせの後に同一の射出金型内に入れ、射出によって各接触部品を実装すればよく、接触部品モジュールの生産効率を大幅に向上させる。しかし、このような遮断板を絶縁体に係合させた遮断モジュール構造は、堅牢度合いが低く、組み立て中に変形しやすい。
【先行技術文献】
【特許文献】
【０００３】
【特許文献１】中国特許第１０２４３７４５６号明細書
【発明の概要】
【発明が解決しようとする課題】
【０００４】
本発明の目的は、現在の高速電気コネクタの信号モジュールが変形しやすいという問題を解決するための高速電気コネクタを提供することである。また、本発明の目的は、さらに、上記高速電気コネクタに使用される信号モジュールおよび当該信号モジュールの成形方法を提供することである。
【課題を解決するための手段】
【０００５】
上記目的を実現するために、本発明の、少なくとも片側に遮断板が設けられた接触部品を含む信号モジュールを含む高速電気コネクタにおいて、信号モジュールは、接触部品と遮断板とに射出成形されることによって接触部品と遮断板とを一体に結合する絶縁体をさらに含む。信号モジュールの絶縁体は、接触部品と遮断板とに射出成形されることによって、信号モジュールの堅牢度合いを向上させる。
【０００６】
さらに、前記絶縁体は、射出によって接触部品に実装された接触部品側絶縁体部分と、射出によって遮断板に実装された遮断板側絶縁体部分と、を含む。前記遮断板側絶縁体部分は、接触部品側絶縁体部分の射出成形後に遮断板を射出によって接触部品側絶縁体部分に実装する。射出金型内の支持用ツールを簡単化するとともに、遮断板と接触部品との正確な相対的位置関係を保証することができる。
【０００７】
さらに、前記接触部品は、差動対と、差動対の間に設けられた接地接触部品と、を含む。前記接地接触部品と遮断板とのうちの少なくとも一方には、他方に突起する突起構造が設けられている。接地接触部品と遮断板とは、対応する突起構造によって電気的に接触する。
【０００８】
本発明の、少なくとも片側に遮断板が設けられた接触部品を含む信号モジュールにおいて、接触部品と遮断板とに射出成形されることによって接触部品と遮断板とを一体に結合する絶縁体をさらに含む。
【０００９】
さらに、前記絶縁体は、接触部品側絶縁体部分と、遮断板側絶縁体部分と、を含む。前記遮断板側絶縁体部分は、接触部品側絶縁体部分の射出成形後に、遮断板を射出によって接触部品側絶縁体部分に実装する。
【００１０】
さらに、前記接触部品は、差動対と、差動対の間に設けられた接地接触部品と、を含む。前記接地接触部品と遮断板とのうちの少なくとも一方には、他方に突起する突起構造が設けられている。接地接触部品と遮断板とは、対応する突起構造によって電気的に接触する。
【００１１】
本発明の信号モジュールの成形方法において、信号モジュールの絶縁体を接触部品と遮断板とに射出成形することによって接触部品と遮断板とを一体に結合する。
【００１２】
さらに、前記信号モジュールの絶縁体の射出成形は、接触部品を対応する金型に入れ、実装後の接触部品に接触部品側絶縁体部分が形成されるとともに接触部品の挿接端が接触部品側絶縁体部分の外に位置するように、接触部品に対する射出・実装を行う工程１と、実装後の接触部品および接触部品側絶縁体部分を対応する金型に入れてから遮断板を接触部品側絶縁体部分に押し付け、実装後の遮断板に遮断板側絶縁体部分が形成されるとともに遮断板側絶縁体部分と接触部品側絶縁体部分とで信号モジュールの絶縁体を構成するように、遮断板に対する射出・実装を行う工程２と、を含む。
【００１３】
さらに、工程１で作製した接触部品側絶縁体部分には、遮断板に対応する位置決め溝が設けられており、工程２では、遮断板を位置決め溝内に締め付けてから遮断板に対する射出・実装を行う。
【００１４】
さらに、工程１の前記接触部品は、差動対と、差動対の間に設けられた接地接触部品と、を含む。前記接地接触部品と遮断板とのうちの少なくとも一方には、他方に突起する突起構造が設けられている。接地接触部品と遮断板とは、対応する突起構造によって電気的に接触する。工程１で作製した接触部品側絶縁体部分には、前記突起構造を逃がす逃がし孔が設けられている。
【発明の効果】
【００１５】
高速電気コネクタの信号モジュールは、接触部品と遮断板とに射出成形されることによって接触部品と遮断板とを一体に結合する絶縁体を含み、接触部品と遮断板とを固定させることが実現される。現在の電気コネクタの信号モジュールに比較し、本発明の電気コネクタの信号モジュールの絶縁体は、射出によって接触部品と遮断板とに実装されるため、信号モジュールの堅牢度合いを向上させ、現在の高速電気コネクタの信号モジュールが変形しやすいという問題を解決した。
【００１６】
さらに、絶縁体は、射出によって接触部品に実装された接触部品側絶縁体部分と、射出によって遮断板に実装された遮断板側絶縁体部分と、を含み、遮断板側絶縁体部分は、接触部品側絶縁体部分の射出成形後に、遮断板を射出によって接触部品側絶縁体部分に実装する。よって、射出金型内の支持用ツールを簡単化するとともに、遮断板と接触部品との正確な相対的位置関係を保証することができる。
【００１７】
さらに、接触部品は、差動対と、差動対の間に設けられた接地接触部品と、を含み、前記接地接触部品と遮断板とのうちの少なくとも一方には、他方に突起する突起構造が設けられており、接地接触部品と遮断板とは、対応する突起構造によって電気的に接触する。よって、隣接する差動対の間で完全に干渉しないことを保証する。射出・実装の方法によって接地接触部品と遮断板との接続関係を簡単化することができるとともに、接地接触部品と遮断板との良好な電気的接続を保証することもできる。
【図面の簡単な説明】
【００１８】
【図１】図１は、本発明の高速電気コネクタの具体的な実施形態の構造図である。
【図２】図２は、本発明の高速電気コネクタの具体的な実施形態の信号モジュールの分解図である。
【図３】図３は、本発明の高速電気コネクタの具体的な実施形態の信号モジュールの断面図である。
【発明を実施するための形態】
【００１９】
以下、図面を参照しながら本発明の実施形態をさらに説明する。
【００２０】
本発明の電気コネクタの具体的な実施形態について、図１〜図３に示されているように、電気コネクタは、片側に遮断板１２が設けられた接触部品１１と絶縁体１３とを含む信号モジュール１と、隣接する信号モジュールを固定する固定板２と、信号モジュールが取り付けられるハウジング３と、を含む。本実施形態において、接触部品は、層状構造であり、差動対１１１と接地接触部品１１２とを含み、差動対が２つの接地接触部品に挟まれる。ここで差動対と接地接触部品との配列方式は、従来技術であり、過多に記載しない。遮断板１２には、接地接触部品に突起する突起構造を有する。突起構造は、差動対と並行に延びる長尺状の突起１２１である。突起構造における突起方向に背を向ける背面には、突起構造方向へ窪む溝１２２が形成されている。接地接触部品と遮断板とは対応する突起構造によって電気的に接触するとともに隣接する差動対を離間させる。絶縁体１３は、射出によって接触部品と遮断板とに実装される。本実施形態において、絶縁体１３は、射出によって接触部品に実装された接触部品側絶縁体部分１３１と、射出によって遮断板に実装された遮断板側絶縁体部分１３２と、を含み、遮断板側絶縁体部分は、接触部品側絶縁体部分の射出成形後に、遮断板を射出によって接触部品側絶縁体部分に実装する。遮断板側絶縁体部分１３２には、工程孔１３３が設けられている。射出時に射出金型の押出しピンが遮断板を押し出し、遮断板を接触部品絶縁体部分に押し付け、成形後に押し出しピンが後退して工程孔が形成される。
【００２１】
具体的な信号モジュールの成形方法は、以下である。１）接触部品を対応する金型に入れ、接触部品に対する射出・実装を行う。実装後の接触部品に接触部品側絶縁体部分が形成されるとともに接触部品の挿接端が接触部品側絶縁体部分の外に位置し、接触部品側絶縁体部分には、遮断板とは形状が対応する位置決め溝１３４と、突起構造を逃がす逃がし孔１３５と、が形成される。２）実装後の接触部品と接触部品側絶縁体部分とを対応する金型に入れ、遮断板を接触部品側絶縁体部分の位置決め溝内に押し付け、遮断板の突起構造を逃がし孔に対応させて挿入させ、遮断板と接地接触部品との電気的接触を保証して、遮断板に対する射出・実装を行う。実装後の遮断板に遮断板側絶縁体部分が形成されるとともに遮断板側絶縁体部分と接触部品側絶縁体部分とで信号モジュールの絶縁体を構成する。
【００２２】
本発明の高速電気コネクタの具体的な実施形態２について、本実施形態は、遮断板を接触部品と共に対応する金型に入れて射出・実装を行うという点のみで、上記高速電気コネクタの具体的な実施形態１とは異なる。
【００２３】
本発明の信号モジュールの具体的な実施形態について、信号モジュールは、上記高速電気コネクタの具体的な実施形態１または２に記載した信号モジュールの構造とは同一であり、再び繰り返して記載しない。
【００２４】
本発明の信号モジュールの成形方法の具体的な実施形態について、信号モジュールの成形方法は、上記高速電気コネクタの具体的な実施形態１または２に記載した信号モジュールの成形方法の工程とは同一であり、再び繰り返して記載しない。
【００２５】
他の実施形態において、上記信号モジュールにおける遮断板は、２つを設けてもよく、すなわち、接触部品の両側に遮断板が設けられる。上記遮断板に突起構造を設けず、遮断板が設けられた側に突起する突起構造を接地接触部品に設けることにしてもよい。信号モジュールに接地接触部品を設けなくてもよいが、この場合遮断板のみで遮断する。
【００２６】
（付記）
（付記１）
少なくとも片側に遮断板が設けられた接触部品を含む信号モジュールを含む高速電気コネクタにおいて、
信号モジュールは、接触部品と遮断板とに射出成形されることによって接触部品と遮断板とを一体に結合する絶縁体をさらに含む、
ことを特徴とする高速電気コネクタ。
【００２７】
（付記２）
前記絶縁体は、射出によって接触部品に実装された接触部品側絶縁体部分と、射出によって遮断板に実装された遮断板側絶縁体部分と、を含み、
前記遮断板側絶縁体部分は、接触部品側絶縁体部分の射出成形後に、遮断板を射出によって接触部品側絶縁体部分に実装する、
ことを特徴とする付記１に記載の高速電気コネクタ。
【００２８】
（付記３）
前記接触部品は、差動対と、差動対の間に設けられた接地接触部品と、を含み、
前記接地接触部品と遮断板とのうちの少なくとも一方には、他方に突起する突起構造が設けられており、
接地接触部品と遮断板とは、対応する突起構造によって電気的に接触する、
ことを特徴とする付記１または２に記載の高速電気コネクタ。
【００２９】
（付記４）
少なくとも片側に遮断板が設けられた接触部品を含む信号モジュールにおいて、
接触部品と遮断板とに射出成形されることによって接触部品と遮断板とを一体に結合する絶縁体をさらに含む、
ことを特徴とする信号モジュール。
【００３０】
（付記５）
前記絶縁体は、接触部品側絶縁体部分と、遮断板側絶縁体部分と、を含み、
前記遮断板側絶縁体部分は、接触部品側絶縁体部分の射出成形後に、遮断板を射出によって接触部品側絶縁体部分に実装する、
ことを特徴とする付記４に記載の信号モジュール。
【００３１】
（付記６）
前記接触部品は、差動対と、差動対の間に設けられた接地接触部品と、を含み、
前記接地接触部品と遮断板とのうちの少なくとも一方には、他方に突起する突起構造が設けられており、
接地接触部品と遮断板とは、対応する突起構造によって電気的に接触する、
ことを特徴とする付記４または５に記載の信号モジュール。
【００３２】
（付記７）
信号モジュールの成形方法であって、
信号モジュールの絶縁体を接触部品と遮断板とに射出成形することによって接触部品と遮断板とを一体に結合する、
ことを特徴とする信号モジュールの成形方法。
【００３３】
（付記８）
前記信号モジュールの絶縁体の射出成形は、
接触部品を対応する金型に入れ、実装後の接触部品に接触部品側絶縁体部分が形成されるとともに接触部品の挿接端が接触部品側絶縁体部分の外に位置するように、接触部品に対する射出・実装を行う工程１と、
実装後の接触部品と接触部品側絶縁体部分とを対応する金型に入れてから遮断板を接触部品側絶縁体部分に押し付け、実装後の遮断板に遮断板側絶縁体部分が形成されるとともに遮断板側絶縁体部分と接触部品側絶縁体部分とで信号モジュールの絶縁体を構成するように、遮断板に対する射出・実装を行う工程２と、を含む、
ことを特徴とする付記７に記載の信号モジュールの成形方法。
【００３４】
（付記９）
工程１で作製した接触部品側絶縁体部分には、遮断板に対応する位置決め溝が設けられており、
工程２では、遮断板を位置決め溝内に締め付けてから遮断板に対する射出・実装を行う、
ことを特徴とする付記８に記載の信号モジュールの成形方法。
【００３５】
（付記１０）
工程１の前記接触部品は、差動対と、差動対の間に設けられた接地接触部品と、を含み、前記接地接触部品と遮断板とのうちの少なくとも一方には、他方に突起する突起構造が設けられており、接地接触部品と遮断板とは、対応する突起構造によって電気的に接触し、
工程１で作製した接触部品側絶縁体部分には、前記突起構造を逃がす逃がし孔が設けられている、
ことを特徴とする付記８または９に記載の信号モジュールの成形方法。
【図１】
2019505078.tif 000003
【図２】
2019505078.tif 000004
【図３】
2019505078.tif 000005
【国際調査報告】
2019505078.tif 000006
2019505078.tif 000007
2019505078.tif 000008
2019505078.tif 000009